(57)【要約】      （修正有）【課題】１人の作業者でも、安全確実に設置でき杭自体回転しないので方向性が求められる案内・表示板等にも好適な杭を提供する。【解決手段】鉄や同等の硬さの材料で形成された下端が先細りの、主杭と副杭とからなり杭下端は、副杭が主杭より所望寸法だけ上方になるように溶接・成形させるようにしたもので、尚且つ杭の表面に凹凸のある材料の仕様で、土壌との密着度がより一段と向上し、より一層杭の機能が発揮される。その上部に軽量化を計るため、中空パイプを嵌合して螺子止め或は溶設して一体とした。【選択図】図１
0003137827.tif 000002
【実用新案登録請求の範囲】
【請求項１】
鉄又は同等の強度を持つ材質で形成された、先端が先細りの丸主杭と所望の位置に逆Ｌ字型の先端先細りの丸副杭を、主杭先端より僅かに上方に溶接され固着した杭。
【請求項２】
打撃具を必要としないで、逆Ｌ字型の横に張り出した副杭の水平な上部に足を乗せ、地中の状態を探るようにして、加減しながら徐々に体重を掛け、時には揺すぶりながら所定の位置まで杭を挿入して作業が完了となる杭。
【請求項３】
前記請求項１において、ネット又はロープを設置する為に隙間の開いた螺旋、又は開閉自在なリングを溶接等で固着した杭。
【考案の詳細な説明】
【技術分野】
【０００１】  本考案は工事現場や立ち入り禁止区域・スキー場・ゴルフ場等で進入禁止・誘導・案内等に供するため、本考案の杭にネット・ロープ等を取り付ける場合、安全に且つ頻度の使用にも耐え、リサイクル材質で資源の有効利用が簡易で、特に主杭と副杭から構成される杭に関する。
【背景技術】
【０００２】  従来の杭は、木製又は金属製で先を尖らせた１本の物で構成されている。地面が柔らかい場合は一人でも作業出来るが、地面が硬い場合は一人が杭を支え他の一人がハンマー等で打撃していた。
木製の場合は杭頭部の割れ、地中状態によっては曲がって打ち込まれ、この場合共に新たに交換しての打設作業と二重の手間で、不要な時間の浪費と１本で構成された杭は抜き取りも容易でなく、この点も大変な労働である。また鉄杭の場合はハンマーも鉄製であり、打撃の際に滑落して非常に危険である。
本考案はこの点、撤去の時には横に貼り出した逆Ｌ字型の下部にテコ棒を入れ、このテコ棒を押し下げる事で短時間に目的を達成できる。
【考案の開示】
【考案が解決しようとする課題】
【０００３】  従来は、前述のように二人で杭打ち作業を行っていた為、多くの人手を要し不経済であり、更に危険であった。  又、頭部を打撃する為杭の破損で、この後処理は抜き取り作業、これも一本杭の場合困難を極め、この後処理費用も掛かり陰に陽にその損害は計り知れないものがあった。
そこで本考案は１人の作業者でも、安全確実に設置でき杭自体回転しないので方向性が求められる、案内・表示板等にも好適な杭を提供することを目的としているものである。
【課題を解決するための手段】
【０００４】前記目的を達成するために本考案は、鉄や同等の硬さの材料で形成された下端が先細りの、主杭と副杭とからなり杭下端は、副杭が主杭より所望寸法だけ上方になるように溶接・成形させるようにしたもので、尚且つ杭の表面に凹凸のある材料の仕様で、土壌との密着度がより一段と向上し、より一層杭の機能が発揮される。その上部に軽量化を計るため、中空パイプを嵌合して螺子止め或は溶設して一体としたものである。
【考案の効果】
【０００５】  前記手段に記載の本考案によれば、１人の作業者が安全に設置でき、しかも表示板等方向性を求められるものの支持にも、好適な杭を提供することができる。
【実施例】
【０００６】  以下本考案の一実施例を説明する。
図１ないし図３は本考案の一実施例の杭を示すもので、図１は正面図、図２は断面図、図３は螺子止めの場合の高さ調整部分の拡大断面図である。【０００７】  図１・図２・図４において、１は中空パイプで下端に鉄筋等で構成される金属製の主杭２が後述する螺子３によって高低差の変更を調整可能に連結し取り付けてある。
主杭２と副杭５の下端部は地面に突き刺し易くする為に尖らせ、尖頭部２１と５２を形成している。  ４は前記パイプ１の上端に咬合した樹脂性のキャップである。【０００８】  ５は主杭２と同様の鉄筋からなる逆Ｌ字状に折り曲げた副杭で、図１に示すように折り曲げ、この折り曲げ部を溶接５１等で主杭２に固着している。  副杭５の下端部も地面に突き易くするために尖らせ、尖頭部５２を形成している。  尖頭部５２は主杭２の尖頭部２１よりも多少上部に溶着させている。  ５３は同様に副杭５の水平面を示し、作業者が足を掛けて杭の設置を容易にしている。【０００９】  前記パイプ１と主杭２は前述のように杭全体の高さを、調整可能に連結してあるが  その構成を説明する。  １１はパイプ１の下方端の一部に横方向に貫通するように設けた透孔で、この透孔１１は前記螺子３のねじ先よりも僅かに大径寸法に構成されている。  透孔１１の外側にはナット６を溶接し、このナット６に前記ボルト等の螺子３を螺合するように構成している。【００１０】  ナット６にねじ込んだボルト３を緩め、主杭２をハイプ１に対してスライドさせて位置を調整し、再びボルト３を締めれば、用途に応じた杭全体の高さの調整をすることができる。【００１１】  前記のように構成した杭を設置するには、主杭２の尖頭部２１が地面に突き刺さり、続いて副杭５の尖頭部５２が突き刺さる。また  このとき副杭５は主杭２よりも細くすれば、その抵抗はさほど増大せずスムーズな突き射しができる。この状態を図４に示す。【００１２】  前記主杭２の尖頭部２１と副杭５尖頭部５２の両方が、所定の高さに地面に突き刺さると杭自体は回転もしないし、二重に杭と土壌が咬みあい杭は確実に垂直に保持される。
当然のことながら、所定位置まで突き刺されない時は、図１に示す如く副杭５の５３の部分に全体重を掛けて、杭頭部を両手で保持し時には揺すぶり或はジャンプしたりすれば、更に深く地面に入り堅固に杭本来の目的を遂行することが出来る。  この設置作業は従来の重いハンマー等を使う必要もないので、他者に負傷を負わせることもなく、省力化と杭自体の損傷もないので経済効果は計り知れないと考えられる。【００１３】  前記のように構成され設置される杭は、二本の脚を具備しているので杭の回転がないので、方向性を求められる図５に示した表示板７やそれ以外の物体の支持用杭として好適である。【００１４】  前記の杭は、立ち入り禁止区域のネットやロープの支持・誘導路の確保等のロープなどに主として使用されるが、ロープやネットの保持構成について説明する。【００１５】  図６はパイプ１の径よりも、内径の大きいキャップを使用しとして、パイプの外径との間に比較的細いロープやネットの保持機構について説明する。【００１６】  図７は、パイプの先端に上方端からロープ８の径よりも僅かに大きい幅のスリット１２を形成し、このスリット１２にロープ８を入れ、上部にキャップ４を被せてロープの浮き上がりを押さえパイプ１の先端に、ロープ８を支持するように構成している。図８はその側面図である。
図９は、キャップ４に溝４１を形成し、パイプ１の上端にロープ８を載置し、このロープをキャップ４の溝４１の底部で押さえるようにキャップ４をパイプ１の上端に被せ、ロープ８を保持するように構成したものである。【００１７】  図１０は、キャップを用いないでロープの装着をより簡便にしたもので、パイプ１の上端に金属製の螺旋リング１３は開口していることから、リングにロープを簡単に装着でき、或は取り外すことが出来る。特に取り外しは多数の杭に設けられた螺旋リングから一気に抜くことができ容易になる。【００１８】  図１１は、開閉自在のリング９をパイプ１の先端部に溶接し、螺旋リングより以上に簡単にネットやリングを取り付け・取り外しを、簡易にできるものである。このリングの構造は２ケの半円形の端部をリベットで締結し、他の端部と端部が咬みあうように成っているリングである。【００１９】  図１２は、リベット１０で締結した側面図である。またパイプ１の上部は開閉自在リング９が、パイプ１の上端を絞るので確実に溶接できるようになり、雨水の浸入も防止できることとした。【００２０】  以上述べたように本考案によれば、重いハンマーやカケヤを使って設置する必要もないので、指等の部位を損傷するとうの事故は発生せず、更に一人での作業者が作業を行うことが出来経済的である。  又杭の損傷もないので杭が無駄になるという実用的な効果も期待できるものである。
【図面の簡単な説明】
【００２１】
【図１】  本考案の一つの実施例を示す杭の正面図。
【図２】  杭の断面図。
【図３】  杭の高さ調整部の拡大断面図。
【図４】  地面に設置された状態を示す正面図。
【図５】  杭を看板や表示板に使用した状態を示す図。
【図６】  杭の上端にキヤップでロープを取り付ける第一の例を示す図。
【図７】  同じく杭の上端にロープを取り付ける第二の例を示す図。
【図８】  同側面図。
【図９】  同じく杭の上端にロープを取り付ける第三の例を示す図。
【図１０】  杭の上端に螺旋リングを取り付けた状態を示す図。
【図１１】  杭の上端に開閉自在のリングを取り付け開放した状態図。
【図１２】  同上のリングの半円弧と半円弧を、繋ぐリベットでの締結状態図とパイプの上端を絞って、パイプ内部に雨水の浸入による防錆を防止できるようにした側面図。
【符号の説明】
【００２２】１  パイプ、  １１  透孔、  １２  スリット、  １３  螺旋リング、  ２  主杭、  ２１  尖頭部、  ３  螺子、  ４  キャップ、  ４１  溝、  ５  副杭、  ５１  溶接部、  ５２  尖頭部、  ６  ナット、  ７  看板  ８  ロープ  ９  リング開閉爪部、  １０  可動円弧部、  １４  パイプ絞り部、  １５  円弧締結リベット
【図１】
0003137827.tif 000003
【図２】
0003137827.tif 000004
【図３】
0003137827.tif 000005
【図４】
0003137827.tif 000006
【図５】
0003137827.tif 000007
【図６】
0003137827.tif 000008
【図７】
0003137827.tif 000009
【図８】
0003137827.tif 000010
【図９】
0003137827.tif 000011
【図１０】
0003137827.tif 000012
【図１１】
0003137827.tif 000013
【図１２】
0003137827.tif 000014